(57)【要約】【課題】ルータが初期化再開した場合に、すぐに端末の再設定およびルーティング情報の更新を行う。【解決手段】ＲＡＣＳ機能４がルーティングを行うＳＳＥ５の故障を監視してＳＳＥ５の初期化再開を検知した場合、ＮＡＳＳ機能２が影響を受けるユーザ端末６１，６２に対してＩＰアドレスを含む設定情報の再設定を要求し、各ユーザ端末６１，６２からの更新要求に対してＩＰアドレス等の更新あるいは再配布を実施する。これにより、ＳＳＥ５は、ＮＡＳＳ機能２とユーザ端末６１，６２との通信からＤＨＣＰによるＩＰアドレス情報の更新を検知してルーティング情報を更新することができる。【選択図】図１
2011082593.tif 000002
【特許請求の範囲】
【請求項１】
エッジルータを制御する帯域管理装置と加入者端末に対してＩＰアドレスを含む設定情報を配布する加入者管理装置とを備えた通信システムにおいて、
前記帯域管理装置は、
前記エッジルータの故障を監視する監視手段と、
前記監視手段が前記エッジルータの初期化再開を検知したときに、前記加入者管理装置に通知する通知手段と、を備え、
前記加入者管理装置は、
前記通知を受信したときに、前記エッジルータに収容された前記加入者端末に対して前記設定情報の再設定を要求する要求手段と、
前記加入者端末から前記設定情報の更新要求を受信し、当該加入者端末に前記設定情報を配布する配布手段と、
を備えることを特徴とする通信システム。
【請求項２】
前記帯域管理情報の通知手段は、前記エッジルータがリンクアグリゲーションを利用している場合は、リンクアグリゲーション番号情報も通知することを特徴とする請求項１記載の通信システム。
【請求項３】
請求項１又は２に記載の通信システムを構成する各手段としてコンピュータを機能させるための通信プログラム。
【発明の詳細な説明】
【技術分野】
【０００１】
本発明は、次世代ネットワークにおいて加入者を収容するエッジルータの初期化再開に対応する技術に関する。
【背景技術】
【０００２】
ネットワークを介する地上デジタルテレビ放送の再送信、電話、ＶＯＤ（ビデオ・オン・デマンド）といったさまざまなサービスに対してネットワーク上での通信品質を保証するために、次世代ネットワーク（ＮＧＮ：Ｎｅｘｔ  Ｇｅｎｅｒａｔｉｏｎ  Ｎｅｔｗｏｒｋ）ではＳＩＰ（Ｓｅｓｓｉｏｎ  Ｉｎｉｔｉａｔｉｏｎ  Ｐｒｏｔｏｃｏｌ）セッション制御により帯域を制御することを可能としている。ＮＧＮの転送ネットワークは、光ファイバやそれらをユーザ宅内まで分配するための伝送装置で構成されるアクセスネットワークと、大容量のルータで構成されるコアネットワークを有する。コアネットワークとアクセスネットワークはエッジルータ（ＳＳＥ：Ｓｕｂｓｃｒｉｂｅｒ  Ｓｅｒｖｉｃｅ  Ｅｄｇｅ）を介して接続される。ユーザ宅内のユーザ端末やルータ等で構成されるユーザネットワークは、ホームゲートウェイ（ＨＧＷ：Ｈｏｍｅ  Ｇａｔｅｗａｙ）を介してアクセスネットワークに接続され、アクセスネットワークを介してＳＳＥに収容される。
【０００３】
ユーザを収容するセッション制御サーバ（ＳＳＣ：Ｓｕｂｓｃｒｉｂｅｒ  Ｓｅｓｓｉｏｎ  Ｃｏｎｔｒｏｌ  ｓｅｒｖｅｒ）は、ＳＩＰによるセッション制御を行うＳＩＰセッション制御機能部（ＣＳＣＦ：Ｃａｌｌ  Ｓｅｓｓｉｏｎ  Ｃｏｎｔｒｏｌ  Ｆｕｎｃｔｉｏｎ）と、ＳＳＥを制御するネットワーク帯域管理機能部（ＲＡＣＳ：Ｒｅｓｏｕｒｃｅ  ａｎｄ  Ａｄｍｉｓｓｉｏｎ  Ｃｏｎｔｒｏｌ  Ｓｕｂｓｙｓｔｅｍ）、およびユーザ端末に対してＤＨＣＰ（Ｄｙｎａｍｉｃ  Ｈｏｓｔ  Ｃｏｎｆｉｇｕｒａｔｉｏｎ  Ｐｒｏｔｏｃｏｌ）によりＩＰアドレスの払い出しや認証等を行う加入者情報管理機能部（ＮＡＳＳ：Ｎｅｔｗｏｒｋ  Ａｔｔａｃｈｍｅｎｔ  ＳｕｂＳｙｓｔｅｍ）を備える。ＮＧＮでは、これらの機能がＳＩＰセッションによる要求ごとに連携して処理を行うことにより、通信品質（ＱｏＳ：Ｑｕａｌｉｔｙ  ｏｆ  Ｓｅｒｖｉｃｅ）の管理などのＮＧＮ特有の機能を実現している。
【先行技術文献】
【非特許文献】
【０００４】
【非特許文献１】宮坂、外２名、「ＮＧＮにおける帯域管理制御技術」、ＮＴＴ技術ジャーナル、平成２０年１０月、第２０巻、第１０号、ｐ．２２−２３
【発明の概要】
【発明が解決しようとする課題】
【０００５】
ＳＳＥは、送信先アドレスと転送先インタフェースを対応付けて管理したルーティング情報に基づいてルーティングを行う。インターネットに一時的に接続されるユーザ端末やＨＧＷなどはＤＨＣＰによりＮＡＳＳからＩＰアドレスを取得する。ＳＳＥは、ＮＡＳＳとユーザ端末とのＤＨＣＰによる通信内容を参照してルーティング情報を追加し、ユーザ端末やＨＧＷ宛の信号を適切に転送する。
【０００６】
しかしながら、ＳＳＥが初期化再開される場合やＳＳＥの物理インタフェースの故障回復時には、ＳＳＥ内のルーティング情報がリセットされるため、ルーティング情報を再設定する必要がある。ルーティング情報が正しく設定されていない場合、ユーザ端末等への信号が正しく転送されないため、ユーザ端末は通信をすることができなくなってしまう。
【０００７】
本発明は、上記に鑑みてなされたものであり、ルータが初期化再開した場合に、すぐに端末の再設定およびルーティング情報の更新を行うことを目的とする。
【課題を解決するための手段】
【０００８】
第１の本発明に係る通信システムは、エッジルータを制御する帯域管理装置と加入者端末に対してＩＰアドレスを含む設定情報を配布する加入者管理装置とを備えた通信システムにおいて、帯域管理装置は、エッジルータの故障を監視する監視手段と、監視手段がエッジルータの初期化再開を検知したときに、加入者管理装置に通知する通知手段と、を備え、加入者管理装置は、通知を受信したときに、エッジルータに収容された加入者端末に対して設定情報の再設定を要求する要求手段と、加入者端末から設定情報の更新要求を受信し、当該加入者端末に設定情報を配布する配布手段と、を備えることを特徴とする。
【０００９】
上記通信システムにおいて、帯域管理情報の通知手段は、エッジルータがリンクアグリゲーションを利用している場合は、リンクアグリゲーション番号情報も通知することを特徴とする。
【００１０】
第２の本発明に係る通信プログラムは、上記通信システムを構成する各手段としてコンピュータを機能させることを特徴とする。
【発明の効果】
【００１１】
本発明によれば、ルータが初期化再開した場合に、すぐに端末の再設定およびルーティング情報の更新を行うことができる。
【図面の簡単な説明】
【００１２】
【図１】本実施の形態における通信システムおよびＮＧＮの構成を示すブロック図である。
【図２】上記システムのエッジルータの接続構成を示す模式図である。
【図３】エッジルータの初期化再開時における処理の流れを示すシーケンス図である。
【発明を実施するための形態】
【００１３】
以下、本発明の実施の形態について図面を用いて説明する。
【００１４】
図１は、本実施の形態における通信システムおよびＮＧＮの構成を示すブロック図である。コアネットワーク１００は、大容量のルータで構成され、他のネットワークにエッジルータを介して接続される。アクセスネットワーク２００は、光ファイバや光ファイバをユーザ宅内まで分配するための伝送装置で構成され、ユーザ端末６１，６２等で構成されるユーザ宅内のユーザネットワークとコアネットワーク１００を接続する。コアネットワーク１００とアクセスネットワーク２００は、エッジルータ（ＳＳＥ）５を介して接続される。アクセスネットワーク２００とユーザネットワークは、ホームゲートウェイ（ＨＧＷ）６を介して接続される。
【００１５】
図２は、ＳＳＥ５の接続構成を示す概略図である。ＳＳＥ５は、コアネットワーク１００に接続されるとともに、複数の物理インタフェース５１Ａ，５１Ｂを備え、アクセスネットワーク２００を介してユーザ宅に配置されたＨＧＷ６Ａ，６Ｂ，６Ｃに接続される。各ユーザ宅のＨＧＷ６Ａ，６Ｂ，６Ｃは、ＩＰｖ４を利用するＩＰ電話６１Ａ，６１ＣやＩＰｖ６を利用する映像機器（ＳＴＢ：Ｓｅｔ  Ｔｏｐ  Ｂｏｘ）６１Ｂ，６２Ｃなどのユーザ端末を接続する。
【００１６】
ＳＳＥ５は、入力された信号を適切な送信先に転送する機能を有する。転送先としては、例えば、コアネットワーク１００内の別のルータ、あるいは、アクセスネットワーク２００に接続されたユーザネットワークがある。ＳＳＥ５は、ユーザ端末６１，６２やＨＧＷ６にＤＨＣＰにより配布されるＩＰアドレスをルーティング情報として保持している。ＤＨＣＰは、インターネットに一時的に接続されるユーザ端末６１，６２やＨＧＷ６にＩＰアドレスなど必要な設定情報を自動的に割り当てるプロトコルである。ルーティング情報とは、特定のＩＰアドレス宛の信号を受け付けた際に、その信号を適切な送信先に転送するための情報である。例えば、ＳＳＥ５のネットワークインタフェース１に１９２．１６８．０．１のＩＰアドレスの払い出しを受けたユーザ端末６１，６２が接続され、ネットワークインタフェース２に１９２．１６８．０．２のＩＰアドレスの払い出しを受けたユーザ端末６１，６２が接続されている場合、ルーティング情報は下記の表１に示すように構成される。この場合、１９２．１６８．０．１宛の信号は、ネットワークインタフェース１に転送される。
【表１】
2011082593.tif 000003
【００１７】
このルーティング情報は、ＳＳＥ５内に記憶されているが、ＳＳＥ５の動作が不安定なときに初期化再開した場合や、物理インタフェースの故障回復時に初期化再開した場合などにリセットされる。そこで、本発明では、ＳＳＥ５の初期化再開を監視し、ＳＳＥ５の初期化再開を検出したときに、ＳＳＥ５にルーティング情報を再構築させることとした。
【００１８】
図１に示すように、ＳＳＥ５は、コアネットワーク１００上に配置されたＳＳＣ１に接続され、ＳＳＣ１により監視・制御される。ＳＳＣ１は、ＮＡＳＳ機能２、ＣＳＣＦ機能３、およびＲＡＣＳ機能４を備え、ＳＳＥ５の制御、セッション制御、およびＤＨＣＰによるＩＰアドレスの払い出しや認証を行う。なお、ＳＳＣ１が備える各機能は、演算処理装置、記憶装置、メモリ等を備えたコンピュータにより構成して、各機能の処理がプログラムによって実行されるものとしてもよい。このプログラムはＳＳＣ１が備える記憶装置に記憶されており、磁気ディスク、光ディスク、半導体メモリ等の記録媒体に記録することも、ネットワークを通して提供することも可能である。また、ＳＳＣ１が各機能を備える構成は一例であり、ＮＡＳＳ機能２、ＣＳＣＦ機能３、およびＲＡＣＳ機能４の各機能をコアネットワーク１００内に配置した別々のサーバで構成してもよい。
【００１９】
ＮＡＳＳ機能２は、ユーザ端末６１，６２に対するＩＰアドレスの払い出しと認証を行う。また、ＳＳＥ５の初期化再開を検知するＳＳＥ初期化再開対応部２２と、ユーザ端末６１，６２に対してＩＰアドレスの再設定を要求するＩＰアドレス配布部２１を備える。
【００２０】
ＣＳＣＦ機能３は、ＳＩＰによるセッション制御を行い、ＲＡＣＳ機能４が帯域管理を行うのに必要な情報を通知する。例えば、ＳＩＰのＩＮＶＩＴＥメッセージによるセッション確立時に、ＳＩＰのＳＤＰ（Ｓｅｓｓｉｏｎ  Ｄｅｓｃｒｉｐｔｉｏｎ  Ｐｒｏｔｏｃｏｌ）に記述されるメディア情報から要求帯域、転送品質を決定し、ＲＡＣＳ機能４に通知する。
【００２１】
ＲＡＣＳ機能４は、ＳＳＥ５を制御して帯域を予約するなどＱｏＳマネジメントを行うとともに、ＳＮＭＰ（Ｓｉｍｐｌｅ  Ｎｅｔｗｏｒｋ  Ｍａｎａｇｅｍｅｎｔ  Ｐｒｏｔｏｃｏｌ）によりＳＳＥ５の故障監視を行い、ＳＳＥ５の初期化再開を検知するとＮＡＳＳ機能２に通知する。
【００２２】
次に、ＳＳＥが初期化再開したときにＳＳＥの保持するルーティング情報を更新する処理の流れについて説明する。
【００２３】
図３は、ＳＳＥ初期化再開時における処理の流れを示すシーケンス図である。
【００２４】
ＲＡＣＳ機能４は、ＳＮＭＰによりＳＳＥ５の故障監視を行っている（ステップＳ１１）。ＳＮＭＰは、ＴＣＰ／ＩＰネットワークにおいて、ルータ、コンピュータ、および端末などのネットワークに接続された通信機器をネットワーク経由で監視・制御するためのプロトコルである。
【００２５】
ＲＡＣＳ機能４がＳＳＥ５の初期化再開を検知すると、その旨をＮＡＳＳ機能２へ通知する（ステップＳ１２）。ＲＡＣＳ機能４は、初期化再開したＳＳＥ情報や故障回復した物理インタフェース情報をＮＡＳＳ機能２へ通知する。ＳＳＥ５がリンクアグリゲーションを利用している場合は、リンクアグリゲーション番号情報を通知する。リンクアグリゲーションとは、複数の物理的な回線を仮想的に束ね、あたかも１本の回線であるかのように扱う技術である。
【００２６】
ＳＳＥの初期化再開の通知を受けたＮＡＳＳ機能２は、ユーザ端末６１，６２に対してＩＰアドレスを含む設定情報の再設定を要求する（ステップＳ１３）。再設定を要求する対象は、通知されたＳＳＥに接続され、ＳＳＥ５のルーティング情報が失われて影響が及ぶユーザ端末６１，６２である。再設定を要求するユーザ端末６１，６２は、ＲＡＣＳ機能４からの通知内容およびＮＡＳＳ機能２が備えた記憶装置に格納された情報、例えば、どのＳＳＥ５にはどの通信機器が収容されているか示す情報に基づいて決定する。再設定の要求は、ＮＡＳＳ機能２がＤＨＣＰの再設定（Ｒｅｃｏｎｆｉｇｕｒｅ）メッセージを送信することで行う。
【００２７】
再設定要求を受信したユーザ端末６１，６２は、ＮＡＳＳ機能２に対して設定情報の更新を要求する（ステップＳ１４）。更新要求は、ユーザ端末６１，６２がＤＨＣＰの更新（Ｒｅｎｅｗ）メッセージを送信することで行う。
【００２８】
ユーザ端末６１，６２から更新要求を受信したＮＡＳＳ機能２は、ユーザ端末に対してアドレス情報の更新あるいは再配布を実施する（ステップＳ１５）。ＤＨＣＰによるＮＡＳＳ機能２とユーザ端末６１，６２との通信は全てＳＳＥ５を経由するので、ＳＳＥ５は、ＤＨＣＰによるＩＰアドレス情報の更新を検知してルーティング情報を更新する。
【００２９】
なお、ＨＧＷ６もＤＨＣＰによりＮＡＳＳ機能２からＩＰアドレスを取得している場合は、ユーザ端末６１，６２と同様の処理を行う。
【００３０】
したがって、本実施の形態によれば、ＲＡＣＳ機能４がルーティングを行うＳＳＥ５の故障を監視してＳＳＥ５の初期化再開を検知した場合、ＮＡＳＳ機能２が影響を受けるユーザ端末６１，６２に対してＩＰアドレスを含む設定情報の再設定を要求し、各ユーザ端末６１，６２からの更新要求に対してＩＰアドレス等の更新あるいは再配布を実施する。これにより、ＳＳＥ５は、ＮＡＳＳ機能２とユーザ端末６１，６２との通信からＤＨＣＰによるＩＰアドレス情報の更新を検知してルーティング情報を更新することができる。
【符号の説明】
【００３１】
１…ＳＳＣ
２…ＮＡＳＳ機能
２１…ＩＰアドレス配布部
２２…ＳＳＥ初期化再開対応部
３…ＣＳＣＦ機能
４…ＲＡＣＳ機能
５…ＳＳＥ
５１Ａ，５１Ｂ…物理インタフェース
６，６Ａ，６Ｂ，６Ｃ…ＨＧＷ
６１，６２…ユーザ端末
６１Ａ，６１Ｃ…ＩＰ電話
６１Ｂ，６２Ｃ…ＳＴＢ
１００…コアネットワーク
２００…アクセスネットワーク
【図１】
2011082593.tif 000004
【図２】
2011082593.tif 000005
【図３】
2011082593.tif 000006